Podtech/llm-jp-corpus-v4-ja_patent huggingface dataset:
【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】  一般式Ｉの化合物であって：
【化１】
2002531543.tif 000001
ここで、Ｒ2は、水素、低級アルキルまたはアリールからなる群から選択され、ここで、該低級アルキルまたはアリールは、１つ以上のアルコキシ、アルカノイル、ニトロ、シクロアルキル、アルケニル、アルキニル、アシルオキシ、低級アルキルまたはハロゲン原子で必要に応じて置換され；
Ｒ3は、親油性基であり；
Ｒ4およびＲ5の一方は、アミン含有薬物、天然または非天然アミノ酸、ペプチドおよびタンパク質からなる群から選択される生物学的に活性なアミノ基含有物質であり、そしてＲ4およびＲ5の他方は、ＯＲ6であり、ここでＲ6は、水素、アルカリ金属および陰電荷からなる群から選択され；
Ｘは、酸素または硫黄であり；
Ｙは、天然または非天然架橋アミノ酸であり；
ｎは、０または１であり；そして
ｍは、０〜１０の整数である、
化合物。
【請求項２】  Ｒ2がメチルであり、そしてＸが硫黄である、請求項１に記載の化合物。
【請求項３】  ｎ＝０、ｍ＝０、そしてＲ3が、４〜２６個の炭素原子を有する直鎖または分枝鎖の炭化水素である、請求項１に記載の化合物。
【請求項４】  前記直鎖または分枝鎖の炭化水素が、５〜１９個の炭素原子を有する、請求項３に記載の化合物。
【請求項５】  前記直鎖または分枝鎖の炭化水素が、カルボニル基と一緒に、パルミチル、オレイル、ステアリル、ラウリル、ミリスチル、コレートおよびデオキシコレートからなる群から選択される、請求項４に記載の化合物。
【請求項６】  前記天然または非天然アミノ酸が、天然に存在するアミノ酸である、請求項１に記載の化合物。
【請求項７】  前記アミン含有薬物がチラミンである、請求項１に記載の化合物。
【請求項８】  前記ペプチドが、Ａｒｇ．バソプレシンおよびインスリンからなる群から選択される、請求項１に記載の化合物。
【請求項９】  一般式ＩＩの化合物であって：
【化２】
2002531543.tif 000002
ここで、Ｒ2は、水素、低級アルキルまたはアリールからなる群から選択され、ここで、該低級アルキルまたはアリールは、１つ以上のアルコキシ、アルカノイル、ニトロ、シクロアルキル、アルケニル、アルキニル、アシルオキシ、低級アルキルまたはハロゲン原子で必要に応じて置換され；
Ｒ3は、親油性基であり；
Ｘは、酸素または硫黄であり；
Ｙは、天然または非天然架橋アミノ酸であり；
ｎは、０または１であり；そして
ｍは、０〜１０の整数である、
化合物。
【請求項１０】  Ｒ2がメチルであり、そしてＸが硫黄である、請求項９に記載の化合物。
【請求項１１】  ｎ＝０、ｍ＝０、そしてＲ3が、４〜２６個の炭素原子を有する直鎖または分枝鎖の炭化水素である、請求項９に記載の化合物。
【請求項１２】  前記直鎖または分枝鎖の炭化水素が、５〜１９個の炭素原子を有する、請求項１１に記載の化合物。
【請求項１３】  前記直鎖または分枝鎖の炭化水素が、隣接するカルボニル基と一緒に、パルミチル、オレイル、ステアリル、コレートおよびデオキシコレートからなる群から選択される、請求項１１に記載の化合物。
【請求項１４】  前記天然または非天然アミノ酸が、天然に存在するアミノ酸である、請求項９に記載の化合物。
【請求項１５】  一般式ＩＩＩの化合物またはその薬学的に受容可能な塩であって：
【化３】
2002531543.tif 000003
ここで、Ｒ2は、水素、低級アルキルまたはアリールからなる群から選択され、ここで、該低級アルキルまたはアリールは、１つ以上のアルコキシ、アルカノイル、ニトロ、シクロアルキル、アルケニル、アルキニル、アシルオキシ、低級アルキルまたはハロゲン原子で必要に応じて置換され；
Ｒ3は、親油性基であり；
Ｘは、酸素または硫黄であり；
Ｙは、天然または非天然架橋アミノ酸であり；
ｎは、０または１であり；そして
ｍは、０〜１０の整数である、
化合物。
【請求項１６】  Ｒ2がメチルであり、そしてＸが硫黄である、請求項１５に記載の化合物。
【請求項１７】  ｎ＝０、ｍ＝０、そしてＲ3が、４〜２６個の炭素原子を有する直鎖または分枝鎖の炭化水素である、請求項１５に記載の化合物。
【請求項１８】  前記直鎖または分枝鎖の炭化水素が、５〜１９個の炭素原子を有する、請求項１７に記載の化合物。
【請求項１９】  前記直鎖または分枝鎖の炭化水素が、隣接するカルボニル基と一緒に、ラウリル、ミリスチル、パルミチル、オレイル、ステアリル、コレートおよびデオキシコレートからなる群から選択される、請求項１８に記載の化合物。
【請求項２０】  前記天然または非天然アミノ酸が、天然に存在するアミノ酸である、請求項１５に記載の化合物。
【請求項２１】  アミン含有薬物、ペプチドおよびタンパク質からなる群から選択されるアミン含有物質の細胞吸収を増加するための組成物であって、請求項１に記載の化合物を含む、組成物。
【請求項２２】  アミン含有薬物、ペプチドおよびタンパク質からなる群から選択される生物学的に活性なアミン含有化合物の、哺乳動物における血液および組織保持を延長するための組成物であって、請求項１に記載の化合物を含む、組成物。
【請求項２３】  請求項１に記載の化合物を形成する方法であって、該方法が、アミン含有薬物、ペプチドおよびタンパク質からなる群から選択される生物学的に活性なアミノ基含有物質を、請求項１に記載の化合物が得られる条件下で、請求項９に記載の化合物と反応させる工程を包含する、方法。
【請求項２４】  生物学的に活性なアミノ基含有物質を、細胞の内部へ送達するための組成物であって、請求項１に記載の化合物を含み、ここで該化合物は、該細胞により吸収され、そして該細胞内で、アミド結合を加水分解し、そして該生物学的に活性なアミノ基含有物質を放出するのに十分低いｐＨに暴露される、組成物。
【請求項２５】  薬学的組成物であって、該薬学的組成物は、以下：
（ａ）有効量の請求項１に記載の化合物；および
（ｂ）薬学的に受容可能なキャリア、
を含む、薬学的組成物。
【請求項２６】  請求項２５に記載の薬学的調製物であって、ここで、前記組成物が、前記化合物をアミド結合の加水分解から保護する腸溶性コーティングを含み、これにより前記生物学的に活性なアミノ基含有物質の放出を、該コーティングが除去されるかまたは溶解するまで防止する、薬学的調製物。
【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】
一般式（Ｉ）
【化１】
2002531552.tif 000001
｛式中、ＸはＮを示し、
Ｒ1 は水素、アルキル基又はシクロアルキル基を示し、
Ｒ2 は水素、アルキル基又はシクロアルキル基を示し、
Ｒ3 及びＲ4 は相互に独立してハロゲン、−ＮＯ2 、−ＣＮ、又は−ＣＦ3 を示し、そ  して
Ｒ5 は水素を示す。｝
で表わされる化合物又はその薬学的に容認された塩又はその水和物。
【請求項２】
Ｒ1 及びＲ2 のうちの一方が水素、アルキル又はシクロアルキルであり、そしてＲ1 及びＲ2 のうちの他方がアルキル又はシクロアルキルである、請求項１記載の化合物。
【請求項３】
Ｒ1 及びＲ2 が相互に独立してアルキル又はシクロアルキルである、請求項２記載の化合物。
【請求項４】
Ｒ3 及びＲ4 が相互に独立してハロゲンである、請求項１記載の化合物。
【請求項５】
１−エチル−４，５−ジクロロベンズイミダゾロン、
１，３−ジエチル−４，５−ジクロロベンズイミダゾロン又は
その薬学的に容認された塩又はそのオキシド又はその水和物である、請求項１記載の化合物。
【請求項６】
請求項１〜５のいずれかに記載の化合物又はその薬学的に容認された付加塩の治療上有効な量を、少なくとも１種の薬学的に容認されたキャリヤー又は希釈剤と共に含有する、ＳＫca、ＩＫca及び（又は）ＢＫcaチャネルの調節（モジュレーション）に応答する疾患又は障害又は症状の治療又は緩和のための薬学的調合物。
【請求項７】
喘息、嚢胞性線維症、慢性閉塞性肺疾患及び鼻漏から選ばれた呼吸器疾患；痙攣、血管痙攣、冠状動脈痙攣、腎臓疾患、多発性嚢胞腎疾患、膀胱痙攣、尿失禁、膀胱流出閉塞、過敏腸症候群、胃腸機能障害、分泌性下痢、虚血、脳内虚血、虚血性心臓疾患、狭心症、冠状動脈性心臓疾患、外傷性脳傷害、精神病、不安、うつ病、痴呆症、記憶及び注意欠損、アルツハイマー病、月経困難症、ナルコレプシー、レーノー病、間欠性跛行、シェーグレン症候群、偏頭痛、不整脈、高血圧症、アプサンス発作、筋緊張性筋ジストロフィー、口内乾燥、糖尿病タイプＩＩ、高インスリン血症、早産、禿頭症、癌及び免疫抑制の治療又は緩和のための、請求項６記載の薬学的調合物。
【請求項８】
ヒトを含めた哺乳類の障害、疾患又は症状──その障害、疾患又は症状はＳＫｃａ、ＩＫｃａ及び（又は）ＢＫｃａチャネルの調節（モジュレーション）に応答する─────の治療又は緩和用薬学的調合物の製造に請求項１〜５のいずれかに記載の化合物を使用する方法。
【請求項９】
障害、疾患又は症状が、喘息、嚢胞性線維症、慢性閉塞性肺疾患及び鼻漏から選ばれた呼吸器疾患；痙攣、血管痙攣、冠状動脈痙攣、腎臓疾患、多発性嚢胞腎疾患、膀胱痙攣、尿失禁、膀胱流出閉塞、過敏腸症候群、胃腸機能障害、分泌性下痢、虚血、脳内虚血、虚血性心臓疾患、狭心症、冠状動脈性心臓疾患、外傷性脳傷害、精神病、不安、うつ病、痴呆症、記憶及び注意欠損、アルツハイマー病、月経困難症、ナルコレプシー、レーノー病、間欠性跛行、シェーグレン症候群、偏頭痛、不整脈、高血圧症、アプサンス発作、筋緊張性筋ジストロフィー、口内乾燥、糖尿病タイプＩＩ、高インスリン血症、早産、禿頭症、癌及び免疫抑制である、請求項８記載の使用方法。
【手続補正書】
【提出日】平成18年11月30日(2006.11.30)
【手続補正１】
【補正対象書類名】明細書
【補正対象項目名】請求項１１
【補正方法】変更
【補正の内容】
【請求項１１】喘息、嚢胞性線維症、慢性閉塞性肺疾患及び鼻漏から選ばれた呼吸器疾患；痙攣、血管痙攣、冠状動脈痙攣、腎臓疾患、多発性嚢胞腎疾患、膀胱痙攣、尿失禁、膀胱流出閉塞、過敏腸症候群、胃腸機能障害、分泌性下痢、虚血、脳内虚血、虚血性心臓疾患、狭心症、冠状動脈性心臓疾患、外傷性脳傷害、精神病、不安、うつ病、痴呆症、記憶及び注意欠損、アルツハイマー病、月経困難症、ナルコレプシー、レーノー病、間欠性跛行、シェーグレン症候群、偏頭痛、不整脈、高血圧症、アプサンス発作、筋緊張性筋ジストロフィー、口内乾燥、糖尿病タイプＩＩ、高インスリン血症、早産、禿頭症、癌及び免疫抑制の治療又は緩和のための、請求項１０記載の薬学的調合物。
【手続補正２】
【補正対象書類名】明細書
【補正対象項目名】請求項１３
【補正方法】変更
【補正の内容】
【請求項１３】障害、疾患又は症状が、喘息、嚢胞性線維症、慢性閉塞性肺疾患及び鼻漏から選ばれた呼吸器疾患；痙攣、血管痙攣、冠状動脈痙攣、腎臓疾患、多発性嚢胞腎疾患、膀胱痙攣、尿失禁、膀胱流出閉塞、過敏腸症候群、胃腸機能障害、分泌性下痢、虚血、脳内虚血、虚血性心臓疾患、狭心症、冠状動脈性心臓疾患、外傷性脳傷害、精神病、不安、うつ病、痴呆症、記憶及び注意欠損、アルツハイマー病、月経困難症、ナルコレプシー、レーノー病、間欠性跛行、シェーグレン症候群、偏頭痛、不整脈、高血圧症、アプサンス発作、筋緊張性筋ジストロフィー、口内乾燥、糖尿病タイプＩＩ、高インスリン血症、早産、禿頭症、癌及び免疫抑制である、請求項１２記載の使用方法。
【手続補正３】
【補正対象書類名】明細書
【補正対象項目名】請求項１５
【補正方法】変更
【補正の内容】
【請求項１５】疾患、障害又は症状が、喘息、嚢胞性線維症、慢性閉塞性肺疾患及び鼻漏から選ばれた呼吸器疾患；痙攣、血管痙攣、冠状動脈痙攣、腎臓疾患、多発性嚢胞腎疾患、膀胱痙攣、尿失禁、膀胱流出閉塞、過敏腸症候群、胃腸機能障害、分泌性下痢、虚血、脳内虚血、虚血性心臓疾患、狭心症、冠状動脈性心臓疾患、外傷性脳傷害、精神病、不安、うつ病、痴呆症、記憶及び注意欠損、アルツハイマー病、月経困難症、ナルコレプシー、レーノー病、間欠性跛行、シェーグレン症候群、偏頭痛、不整脈、高血圧症、アプサンス発作、筋緊張性筋ジストロフィー、口内乾燥、糖尿病タイプＩＩ、高インスリン血症、早産、禿頭症、癌及び免疫抑制である、請求項１４記載の方法。
【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  糖脂質蓄積症を緩和または防ぐために効果的な量の、アルキル鎖に９から約２０の炭素原子を持つデオキシノジリマイシンの長鎖Ｎ−アルキル誘導体を含む、糖脂質蓄積症を治療するための医薬組成物。
【請求項２】  デオキシノジリマイシンの長鎖Ｎ−アルキル誘導体がＮ−ノニル−ＤＮＪまたはＮ−デシル−ＤＮＪである請求項１に記載の組成物。
【請求項３】  デオキシノジリマイシンのＮ−アルキル誘導体がＮ−ノニル−ＤＮＪである請求項２に記載の組成物。
【請求項４】  糖脂質蓄積症がゴーシェ病である請求項１に記載の組成物。
【請求項５】  糖脂質蓄積症がゴーシェ病である請求項２に記載の組成物。
【請求項６】  糖脂質蓄積症がゴーシェ病である請求項３に記載の組成物。
【請求項７】  薬剤的に受容できる希釈剤またはキャリア中のデオキシノジリマイシンのＮ−アルキル誘導体を約０．１から約１０００ｍｇの用量で投与する請求項１に記載の組成物。
【請求項８】  薬剤的に受容できる希釈剤またはキャリア中のＮ−ノニル−ＤＮＪまたはＮ−デシル−ＤＮＪを約０．１から約１０００ｍｇの用量で投与する請求項２に記載の組成物。
【請求項９】  薬剤的に受容できる希釈剤またはキャリア中のＮ−ノニル−ＤＮＪを約０．１から約１０００ｍｇの用量で投与する請求項３に記載の組成物。
【請求項１０】  薬剤的に受容できる希釈剤またはキャリア中のデオキシノジリマイシンのＮ−アルキル誘導体を約０．１から約１０００ｍｇの用量で投与する請求項４に記載の組成物。
【請求項１１】  薬剤的に受容できる希釈剤またはキャリア中のＮ−ノニル−ＤＮＪまたはＮ−デシル−ＤＮＪを約０．１から約１０００ｍｇの用量で投与する請求項５に記載の組成物。
【請求項１２】  薬剤的に受容できる希釈剤またはキャリア中のＮ−ノニル−ＤＮＪを約０．１から約１０００ｍｇの用量で投与する請求項６に記載の組成物。
【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  次の化学式のハプテン-キャリア複合体：
2002531421.tif 000001
式中、
mは1〜2500であり、
nは0〜12であり、
yは1〜12であり、
XはNH-CO、CO-NH、CO-NH-NH、NH-NH-CO、NH-CO-NH、CO-NH-NH-CO、及びS-Sからなる群より選択され、
YはNH-CO、CO-NH、CO-NH-NH、NH-NH-CO、NH-CO-NH、CO-NH-NH-CO、及びS-Sからなる群より選択され、
且つ-(CH2)n-X-(CH2)y-Y-部分はニコチンの3'、4'または5'位に結合している。
【請求項２】  mが11〜17であり、nが1であり、yが2であり、XがNH-COであり、YがCO-NHであって、-(CH2)n-X-(CH2)y-Y-がニコチンの3'位に結合している、請求項1記載の複合体。
【請求項３】  mが11〜17であり、nが1であり、yが2であり、XがNH-COであり、YがCO-NHであって、-(CH2)n-X-(CH2)y-Y-がニコチンの4'位に結合している、請求項1記載の複合体。
【請求項４】  mが11〜17であり、nが1であり、yが2であり、XがNH-COであり、YがCO-NHであって、-(CH2)n-X-(CH2)y-Y-がニコチンの5'位に結合している、請求項1記載の複合体。
【請求項５】  mが1〜20及び1〜200からなる群より選択される、請求項1〜4のいずれか一項記載の複合体。
【請求項６】  キャリアタンパク質がエキソプロテインAである、請求項1〜5のいずれか一項記載の複合体。
【請求項７】  次の化学式のハプテン-キャリア複合体：
2002531421.tif 000002
式中、
mは11〜17であり、
nは1であり、
yは2であり、
XはNH-COであり、
YはCO-NHであり、
キャリアタンパク質がエキソプロテインAであり、且つ-(CH2)n-X-(CH2)y-Y-部分はニコチンの3'位に結合している。
【請求項８】  次の化学式のハプテン-キャリア複合体：
2002531421.tif 000003
式中、nは0〜12であり、jは1〜1000であり、kは1〜20であり、且つEはアミノ酸-含有マトリックスである。
【請求項９】  マトリックスがポリ-L-グルタミン酸である請求項8記載の複合体。
【請求項１０】  複合体が、出発物質としてトランス-4'-カルボキシ-(-)-コチニンを用いて作成される、請求項1〜9のいずれか一項記載のハプテン-キャリア複合体。
【請求項１１】  請求項1〜10のいずれか一項記載のハプテン-キャリア複合体に応答して産生される抗体。
【請求項１２】  モノクローナルである請求項11記載の抗体。
【請求項１３】  ポリクローナルである請求項11記載の抗体。
【請求項１４】  請求項11記載の抗体の機能的断片。
【請求項１５】  請求項11〜14のいずれか一項記載の抗体またはその機能的断片を含む、試料中のニコチンの存在を検出するためのキット。
【請求項１６】  請求項1〜10のいずれか一項記載のハプテン-キャリア複合体を用いて宿主哺乳動物を免疫する段階を含む、抗体を生産する方法。
【請求項１７】  抗体がモノクローナルである請求項16記載の方法。
【請求項１８】  抗体がポリクローナルである請求項16記載の方法。
【請求項１９】  請求項1〜10のいずれか一項記載の少なくとも一つのハプテン-キャリア複合体を含むワクチン組成物。
【請求項２０】  本質的に請求項1〜10のいずれか一項記載のハプテン-キャリア複合体からなるワクチン組成物。
【請求項２１】  請求項1〜10のいずれか一項記載のハプテン-キャリア複合体からなるワクチン組成物。
【請求項２２】  請求項1〜10のいずれか一項記載のハプテン-キャリア複合体及び少なくとも一つのアジュバントからなるワクチン組成物。
【請求項２３】  請求項1〜10のいずれか一項記載のハプテン-キャリア複合体、少なくとも一つのアジュバント、及び少なくとも一つの賦形剤からなるワクチン組成物。
【請求項２４】  請求項1〜10のいずれか一項記載のハプテン-キャリア複合体、少なくとも一つのアジュバント、少なくとも一つの賦形剤、及び少なくとも一つの補助剤からなるワクチン組成物。
【請求項２５】  薬剤としての使用のための、請求項1〜10のいずれか一項記載のハプテン-キャリア複合体、または請求項11〜14のいずれか一項記載の抗体もしくはその機能的断片。
【請求項２６】  ニコチン中毒を予防または処置するための請求項25記載のような薬剤としての使用のための、請求項1〜10のいずれか一項記載のハプテン-キャリア複合体、または請求項11〜14のいずれか一項記載の抗体もしくはその機能的断片。
【請求項２７】  薬剤がニコチン中毒の処置に有用な化合物をさらに含む、請求項25または26記載のような薬剤としての使用のための、請求項1〜10のいずれか一項記載のハプテン-キャリア複合体。
【請求項２８】  ニコチン中毒を処置または予防するための薬剤の調製のための、請求項1〜10のいずれか一項記載のハプテン-キャリア複合体、または請求項11〜14のいずれか一項記載の抗体もしくはその機能的断片の使用。
【請求項２９】  薬剤がニコチン中毒の処置に有用な化合物をさらに含む、請求項28記載のような薬剤の調製のための、請求項1〜10のいずれか一項記載のハプテン-キャリア複合体の使用。
【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【請求項１】  哺乳類にアントシアニン、バイオフラボノイド、フェノール系化合物及びこれらの混合物からなる群から選ばれたサクランボから単離された組成物を哺乳類に栄養的性質又は植物薬的性質を与える量で供給することを特徴とする酸化防止剤利益を含む、栄養的利益又は植物薬的利益を生きている哺乳類に与える方法。
【請求項２】  哺乳類がヒトであり、組成物が調製食品中に与えられる請求の範囲第１項記載の方法。
【請求項３】  前記組成物が乾燥されている請求の範囲第１項記載の方法。
【請求項４】  前記組成物が乾燥されており、食品級キャリヤーを含む請求の範囲第１項記載の方法。
【請求項５】  キャリヤーが乾燥サクランボパルプである請求の範囲第４項記載の方法。
【請求項６】  前記組成物がキャリヤーを含み、0.1:100〜100:0.1の組成物対キャリヤーの比を含む請求の範囲第１項記載の方法。
【請求項７】  前記組成物が液体形態である請求の範囲第１項記載の方法。
【請求項８】  前記組成物がアントシアニン、バイオフラボノイド及びフェノール系化合物の混合物である請求の範囲第１項〜第７項のいずれか一項記載の方法。
【請求項９】  前記組成物がタルトチェリーから単離される請求の範囲第１項記載の方法。
【請求項１０】  前記組成物がセイヨウミザクラのサクランボから単離される請求の範囲第１項記載の方法。
【請求項１１】  前記組成物がモントモレンシイサクランボから単離される請求の範囲第１項記載の方法。
【請求項１２】  前記組成物がバラトンサクランボから単離される請求の範囲第１項記載の方法。
【請求項１３】  サクランボから単離されたアントシアニン、バイオフラボノイド、フェノール系化合物及びこれらの混合物からなる群から選ばれた組成物を生きている生物学的物質における酸化を抑制する量で生きている生物学的物質に与えることを特徴とする酸化抑制を要する生きている生物学的物質における酸化抑制方法。
【請求項１４】  生きている生物学的物質が組成物を供給されるヒト中にある請求の範囲第１３項記載の方法。
【請求項１５】  生きている生物学的物質が組成物を供給される動物中にある請求の範囲第１３項記載の方法。
【請求項１６】  組成物が乾燥される請求の範囲第１３項記載の方法。
【請求項１７】  前記組成物が乾燥され、及び乾燥食品級キャリヤーを含む請求の範囲第１３項記載の方法。
【請求項１８】  キャリヤーが乾燥サクランボパルプである請求の範囲第１３項記載の方法。
【請求項１９】  前記組成物がキャリヤーを含み、0.1:100〜100:0.1の組成物対キャリヤーの比を含む請求の範囲第１３項記載の方法。
【請求項２０】  前記組成物がアントシアニン、バイオフラボノイド及びフェノール系化合物の混合物である請求の範囲第１３項〜第１９項のいずれか一項記載の方法。
【請求項２１】  前記組成物がタルトチェリーから単離される請求の範囲第１３項記載の方法。
【請求項２２】  前記組成物がセイヨウミザクラのサクランボから単離される請求の範囲第１３項記載の方法。
【請求項２３】  前記組成物がモントモレンシイサクランボから単離される請求の範囲第１３項記載の方法。
【請求項２４】  前記組成物がバラトンサクランボから単離される請求の範囲第１３項記載の方法。
【請求項２５】  サクランボから単離された少なくとも一種の化合物を生物学的物質に投与して酸化を抑制することを特徴とする生きている生物学的物質における酸化抑制方法。
【請求項２６】  前記物質が化合物を酸化防止剤として供給される生きている哺乳類中にある請求の範囲第２５項記載の方法。
【請求項２７】  前記物質が化合物を酸化防止剤として供給される哺乳類としてのヒト中にある請求の範囲第２５項記載の方法。
【請求項２８】  哺乳類が調製食品中の化合物を供給される請求の範囲第２６項又は第２７項記載の方法。
【請求項２９】  酸化防止剤利益を含む栄養的又は植物薬的利益を生きている哺乳類に与える方法であって、食品中に存在し、及び食品品質を維持する組成物であって、
a.アントシアニン、バイオフラボノイド、フェノール系化合物及びこれらの混合物から単離された組成物を食品に添加して食品の品質及び貯蔵寿命を増進する工程、及び
b.哺乳類に、栄養的性質又は植物薬的性質を哺乳類に与える量で食品中に用意される食品中の組成物を供給する工程、
を含むことを特徴とする方法。
【請求項３０】  サクラ属から得られ、及び式：
【化１】
2002531473.tif 000001
（式中、R1及びR2はヒドロキシル及び水素からなる群から選ばれ、かつR1及びR2の一つがヒドロキシルである）
の純粋形態の化合物又は異性体の混合物。
【請求項３１】  R1がヒドロキシルであり、かつR2が水素である請求の範囲第３０項記載の化合物。
【請求項３２】  R1が水素であり、かつR2がヒドロキシルである請求の範囲第３０項記載の化合物。
【請求項３３】  化合物がセイヨウミザクラ、サンカオウトウ、及びこれらの混合物から得られる請求の範囲第３０項記載の化合物。
【請求項３４】  セイヨウミザクラ、サンカオウトウ、又はこれらの混合物から得られる純粋な化合物としての1-(3',4'-ジヒドロキシシンナモイル)-シクロペンタ-2,3-ジオール。
【請求項３５】  セイヨウミザクラ、サンカオウトウ、又はこれらの混合物から得られる純粋な化合物としての1-(3',4'-ジヒドロキシシンナモイル)-シクロペンタ-2,5-ジオール。
【請求項３６】  化合物が無毒性キャリヤーと更に混合され、該無毒性キャリヤーがヒト用に適している請求の範囲第３０項〜第３５項のいずれか一項記載の化合物。
【請求項３７】  化合物がアントシアニン、シアニジン、バイオフラボノイド、フェノール系化合物、及びこれらの混合物からなる群から選ばれた一種以上の酸化防止剤と混合される請求の範囲第３０項〜第３６項のいずれか一項記載の化合物。
【請求項３８】  アントシアニンがシアニジン-3-2”-O-β-D-グルコピラノシル-6”-O-α-L-ラムノシル-β-D-グルコピラノシド、シアニジン-3-6”-O-α-L-ラムノシル-β-D-グルコピラノシドシアニジン-3-β-D-グルコピラノシド、及びこれらの混合物からなる群からのものである請求の範囲第３６項記載の化合物。
【請求項３９】  バイオフラバノイドが7-メトキシ-5,8,4'-トリヒドロキシフラボンである請求の範囲第３６項記載の化合物。
【請求項４０】  酸化の抑制方法に使用するための請求の範囲第３０項〜第３８項のいずれか一項記載の化合物。
【請求項４１】  炎症の抑制方法に使用するための請求の範囲第３０項〜第３８項のいずれか一項記載の化合物。
【請求項４２】  食事補充物としての使用のための請求の範囲第３０項〜第３８項のいずれか一項記載の化合物。
【請求項４３】  生きている組織中の酸化を防止するためのサクランボから得られる少なくとも一種の化合物の使用。
【請求項４４】  生きている組織中の酸化を防止するためのサクランボから得られる少なくとも一種のアントシアニン、バイオフラボノイド、又はフェノール系化合物の使用。
【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  安全量および有効量の架橋した共重合体の部分塩を含有する義歯用接着剤であって、前記架橋した共重合体の部分塩が
（ａ）酸無水物含有共重合体をリシン；ヒスチジン；アルギニン；リシン、ヒスチジンまたはアルギニンの無毒性誘導体または同族体；およびそれらの混合物と反応させることによって、酸無水物を含有する共重合体から部分的に架橋した共重合体を生成する工程、
（ｂ）前記部分的に架橋した共重合体中の残りの酸無水物基を加水分解してカルボン酸基を生成する工程、および
（ｃ）前記カルボン酸基を少なくとも部分的に中和して架橋した部分共重合体塩を生成する工程
により得られる義歯用接着剤。
【請求項２】  前記接着剤が、液体、粉体、クリーム、ペースト、ゲルまたはライナーとして配合される請求項１記載の義歯用接着剤。
【請求項３】  前記共重合体が、アルキルビニルエーテルおよび共重合性不飽和アルキル酸無水物を含む請求項１または２記載の義歯用接着剤。
【請求項４】  前記共重合体が、アルキルビニルエーテルおよびビニルエーテル共重合性カルボン酸無水物を含む共重合体である請求項１〜３のいずれか１項記載の義歯用接着剤。
【請求項５】  前記酸無水物がマレイン酸無水物を含む請求項４記載の義歯用接着剤。
【請求項６】  前記アルキルビニルエーテルがメチルビニルエーテルである請求項４または５記載の義歯用接着剤。
【請求項７】  前記共重合体塩が、カルシウムカチオン、マグネシウムカチオン、ストロンチウムカチオン、ナトリウムカチオン、カリウムカチオン、ジルコニウムオキシカチオン、亜鉛、鉄、錫およびそれらの混合物のカチオンから成る群から選択されるカチオンを含む請求項１〜６のいずれか１項記載の義歯用接着剤。
【請求項８】  前記リシンまたはその誘導体またはその同族体の前記ポリマー中のモル％置換率が約０．００５％を超え約５％未満である請求項１〜７のいずれか１項記載の義歯用接着剤。
【請求項９】  （ａ）前記酸無水物含有共重合体をリシン；ヒスチジン；アルギニン；リシン、ヒスチジンまたはアルギニンの無毒性誘導体または同族体；およびそれらの混合物と反応させることによって、酸無水物を含有する共重合体から部分的に架橋した共重合体を生成する工程、
（ｂ）前記部分的に架橋した共重合体中の残りの酸無水物基を加水分解してカルボン酸基を生成する工程、および
（ｃ）前記カルボン酸基を少なくとも部分的に中和して架橋した部分共重合体塩を生成する工程
を含む請求項１〜８のいずれか１項記載の義歯用接着剤の製造方法。
【請求項１０】  リシン；ヒスチジン；アルギニン；リシン、ヒスチジンまたはアルギニンの無毒性誘導体または同族体；およびそれらの混合物から成る群から選択される架橋剤によるアミド結合によって少なくとも部分的に架橋されている共重合体塩であって、該共重合体が重合性エーテルおよび重合性酸または酸無水物の共重合体である共重合体塩。
【手続補正書】
【提出日】平成18年11月30日(2006.11.30)
【手続補正１】
【補正対象書類名】明細書
【補正対象項目名】００１０
【補正方法】変更
【補正の内容】
【００１０】
この方法は、工業的方法を使用して実施することができない。なぜなら、混合物から水を十分に除去することができないからである。従って、国際公開第９８／１０９６１３号パンフレットに宣言されている結果を再現することはできない。
しかし、上記に関する諸特許明細書中の、皮下インプラント用組成物の基本的特徴は、高分子物質中におけるペプチドの均一な分配から成る。この均一な分配は、二つの成分の少なくとも一つの成分の溶液を使用することによって生じる。
現在市販されているインプラントには、限られた期間（通常、約３ヶ月）に渡ってペプチドが放出されるという欠点がある。
乳酸及びグリコール酸のコポリマーとペプチドとを含む組成物については、更にいくつかの文献に記述されている。
米国特許第５，１３４，１２２号明細書には、活性物質としての特に３から４５のアミノ酸を含むペプチドのパモエート(pamoate)またはタンニン酸またはステアリン酸またはパルミチン酸の塩と合体した、乳酸及びグリコール酸のコポリマーの微粒子形態の、放出が延長された薬剤組成物の製造方法が開示されている。この組成物は注射が可能な懸濁液の製造に用いられる。
国際公開第９２／１１８４３号パンフレットは、形成された本体と解放される薬品を含む装置であって、延長された期間に渡って薬品を解放する装置に関する。この形成された本体は、乳酸及びグリコール酸のコポリマーのような生腐食性ポリマーとコレステロールのような疎水性物質とを含む。この薬品はポリペプチドを含む群から選択される。
米国特許第５，４４５，８３２号明細書には、３から４５のアミノ酸を含む薬物性ペプチドと合体した、乳酸及びグリコール酸のコポリマーのような生劣化性物質の極小球形態の、持続放出用組成物の製造方法が開示されている。
これらの文献には、放出時間が延長された皮下インプラントを製造するのに適したペプチドと乳酸及びグリコール酸のコポリマーとを含む組成物は示唆されていない。
【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  配列番号２の成熟軽鎖可変領域、および配列番号４の成熟重鎖可変領域を有するマウスＡＦ２免疫グロブリンのヒト化バージョンであるヒト化免疫グロブリンであって、該ヒト化免疫グロブリンは、ヒト化重鎖および軽鎖を含む、ただし該ヒト化重鎖可変領域のフレームワークの部位１１が、該マウスＡＦ２重鎖可変領域のフレームワークの等価部位に存在するアミノ酸によって占められ、該ヒト化免疫グロブリンは、γ−インターフェロンと特異的に結合する、ヒト化免疫グロブリン。
【請求項２】  前記マウスＡＦ２免疫グロブリン由来のＣＤＲおよび前記ＥＵヒト化免疫グロブリン由来の重鎖および軽鎖の可変領域のフレームワークを含む、請求項１に記載のヒト化免疫グロブリン。
【請求項３】  部位Ｈ３８が前記マウスＡＦ２重鎖可変領域のフレームワークの等価部位に存在するアミノ酸によって占められることがさらに提供される、請求項２に記載のヒト化免疫グロブリン。
【請求項４】  部位Ｈ１１、Ｈ２７、Ｈ２８、Ｈ３０、Ｈ３８、Ｈ４８、Ｈ６７、Ｈ６８、Ｈ７０、Ｈ７２、Ｈ７４、Ｈ９３、Ｈ９５、Ｈ９８、Ｈ１０７、Ｈ１０８、Ｈ１０９、Ｈ１１１が前記マウスＡＦ２重鎖の等価部位に存在するアミノ酸によって占められること、部位Ｌ４８、およびＬ７０が前記マウスＡＦ２軽鎖の等価部位に存在するアミノ酸によって占められること、そして部位Ｌ６３がヒト免疫グロブリンの軽鎖のコンセンサス配列の等価部位に存在するアミノ酸によって占められることがさらに提供される、請求項２に記載のヒト化免疫グロブリン。
【請求項５】  前記マウスＡＦ２抗体の親和性の４倍以内の親和性定数を有する、ヒトγ−ＩＦＮと特異的に結合する、請求項１に記載のヒト化免疫グロブリン。
【請求項６】  配列番号６の成熟軽鎖に少なくとも９０％の配列同一性を有するヒト化成熟軽鎖、および配列番号８の成熟重鎖に少なくとも９０％の配列同一性を有するヒト化成熟重鎖を含むγ−ＩＦＮと特異的に結合する、請求項１に記載のヒト化免疫グロブリン。
【請求項７】  ２つの軽鎖／重鎖ダイマーを含む、請求項１に記載のヒト化免疫グロブリン。
【請求項８】  ＩｇＧ１イソタイプの免疫グロブリンである、請求項１に記載のヒト化免疫グロブリン。
【請求項９】  少なくとも９５％の同質性にまで精製される、請求項１に記載のヒト化免疫グロブリン。
【請求項１０】  配列番号６の成熟軽鎖可変領域、および配列番号８の成熟重鎖可変領域を含む、ヒト化免疫グロブリン。
【請求項１１】  請求項１または１０に記載のヒト化免疫グロブリンおよび薬学的に受容可能なキャリアを含む、薬学的組成物。
【請求項１２】  有害な免疫応答に罹患した患者を処置するための組成物であって、請求項１または１０に記載の薬学的組成物の治療的有効量を含有する、組成物。
【請求項１３】  前記患者が自己免疫疾患に罹患する、請求項１２に記載の組成物。
【手続補正２】
【補正対象書類名】明細書
【補正対象項目名】図面の簡単な説明
【補正方法】変更
【補正の内容】
【図面の簡単な説明】
【図１】
図１ＡおよびＢは、マウス抗体ＡＦ２の軽鎖可変領域（Ａ）（配列番号１および２）ならびに重鎖可変領域（Ｂ）（配列番号３および４）のｃＤＮＡの配列および翻訳されたアミノ酸配列である。Ｋａｂａｔ  ＣＤＲ配列に下線を付す。
【図２】
図２Ａおよび２Ｂは、ヒト化抗体ＨｕＺＡＦの軽鎖および重鎖の可変領域のｃＤＮＡ配列（配列番号５および７）ならびにアミノ酸配列（配列番号６および８）。Ｋａｂａｔ  ＣＤＲ配列に下線を付す。
【図３】
図３は、ヒト化免疫グロブリンＨｕＺＡＦ（配列番号１０）およびヒト化免疫グロブリンｈａｆ２５（配列番号１１）、およびＨｕＸＡＦ（配列番号９）の成熟重鎖可変領域アミノ酸配列の比較。
【図４】
図４は、マウスＡＦ２、ならびにヒト化抗体ｈａｆ２５、ＨｕＸＡＦおよびＨｕＺＡＦのγ−ＩＦＮに対する中和活性。
【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】
一般式（Ｉ）
【化１】
2002531498.tif 000001
｛式中、
Ｒ1 は水素、Ｃ1-6 アルキル基、又は式−ＣＨ2 ＣＯ2 Ｒ’（式中、Ｒ’は水素を示す。）で表わされる基を示し、
Ｒ2 は水素又はＣ1-6 アルキル基を示し、
Ｒ3 及びＲ4 は相互に独立して水素又はＣ1-3 アルキル基を示し、そして
Ｒ5 及びＲ6 は水素を示す。｝
で表わされるイサチン誘導体又はその薬学的に容認された塩又はそのオキシド又はその水和物（但し、このイサチン誘導体は６，７−ジクロロイサチン３−オキシムでない）。
【請求項２】
Ｏ−メチル−６，７−ジクロロイサチン３−オキシム、
Ｏ−メチル−６，７−ジクロロ−１−メチルイサチン３−オキシム、
６，７−ジクロロ−１−メチルイサチン３−オキシム、
Ｏ−ｔ−ブチル６，７−ジクロロイサチン３−オキシム、
６，７−ジフルオロイサチン３−オキシム、
６，７−ジメチルイサチン３−オキシム、
Ｏ−（カルボキシメチル）６，７−ジクロロイサチン３−オキシム、
６−クロロ−７−メチルイサチン３−オキシム又は
６−フルオロ−７−メチルイサチン３−オキシム
あるいはその薬学的に容認された塩又はそのオキシド又はその水和物である、請求項１記載の化合物。
【請求項３】
請求項１又は２記載のイサチン誘導体又はその薬学的に容認された付加塩の治療上有効な量を、少なくとも１種の薬学的に容認されたキャリヤー又は希釈剤と共に含有する、喘息、嚢胞性線維症、慢性閉塞性肺疾患及び鼻漏から選ばれた呼吸器疾患、膀胱痙攣、尿失禁又は膀胱流出閉塞の治療又は緩和するための薬学的調合物。
【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  開けやすい缶端板であって、
取外し不可能な引裂きパネルの外縁を形成する引裂き可能な切込み線を有する円形の中央パネルと、
鼻部分および後部分を有する分離不可能なタブと、
使用時に、前記タブの前記後部が引き起こされて前記タブの前記鼻部分で前記引裂きパネルを押し下げさせ、それによって前記切込み線を破り、前記中央パネルの平面から該引裂きパネルを吊り下げて開口を作るように、前記タブが前記中央パネルの前記平面から回転することができる心軸として働く、前記タブと前記中央パネルとの間の接続部と、
を有し、
前記開口は長軸と短軸を有し、前記短軸は中央パネルの直径上に、前記長軸は前記直径に垂直に位置している、
開けやすい缶端板において、
前記中央パネルの前記直径は１．８３５インチ（４６．６ｍｍ）未満であり、前記開口の面積は０．５平方インチ（３２３ｍｍ2 ）未満であり、そしてアスペクト比（長軸：短軸）は１．３と１．７の間であることを特徴とする、開けやすい缶端板。
【請求項２】  前記開口は楕円形状である、請求項１記載の開けやすい缶端板。
【請求項３】  前記開口のアスペクト比は約１．５である、請求項１または２記載の開けやすい缶端板。
【請求項４】  前記中央パネルは前記缶端板の外周の高さよりも下に位置し、そして前記中央パネルと前記外周との間の側壁は端板パネルの平面に対して２０°から６０°の角度で傾斜している、請求項１ないし３のいずれか１項記載の開けやすい缶端板。
【請求項５】  前記引裂きパネルは、前記切込み線の外縁および前記タブの前記鼻部分にほぼ沿っているビードをさらに有する、請求項の１から４のいずれか１項記載の開けやすい缶端板。
【請求項６】  前記引裂きパネル上の前記ビードは閉じている、請求項５記載の開けやすい缶端板。
【手続補正２】
【補正対象書類名】明細書
【補正対象項目名】０００８
【補正方法】変更
【補正の内容】
【０００８】
したがって、本発明の開けやすい缶端板は、
取外し不可能な引裂きパネルの外縁を形成する引裂き可能な切込み線を有する円形の中央パネルと、
鼻部分および後部分を有する分離不可能なタブと、
使用時に、タブの後部が引き起こされてタブの鼻部分で引裂きパネルを押し下げさせ、それによって切込み線を破り、中央パネルの平面からこの引裂きパネルを吊り下げて開口を作るように、タブが中央パネルの平面から回転することができる心軸として働く、タブと中央パネル間の接続部と、
を有し、
上記開口は長軸と短軸を有し、短軸は中央パネルの直径上に、長軸は上記直径に垂直に位置している、開けやすい缶端板において、
中央パネルの直径は１．８３５インチ（４６．６ｍｍ）未満であり、開口は０．５平方インチ（３２３ｍｍ2 ）未満の面積を有し、そしてアスペクト比（長軸：短軸）は１．３と１．７の間であることを特徴とする。
【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】  少なくとも１つのオキシドレダクターゼ、少なくとも１つのメディエイター、及び染色組成物の重量により計算される場合、0.001〜１％の過酸化水素に等しい量での少なくとも1つの化学的酸化剤を含んで成る、還元された髪の処理のための染色組成物。
【請求項２】  少なくとも１つのオキシドレダクターゼ、少なくとも１つのメディエイター、及びその染色組成物の重量により計算される場合に0.001〜１％の過酸化水素に等しい量での少なくとも1つの化学的酸化剤を含んで成り、髪におけるジスルフィド共有結合を化学的に還元した後に前記髪と接触せしめる染色組成物。
【請求項３】  少なくとも１つのオキシドレダクターゼ、少なくとも１つのメディエイター、及びその染色組成物の重量により計算される場合に0.001〜１％の過酸化水素に等しい量での少なくとも1つの化学的酸化剤を含んで成り、髪におけるジスルフィド共有結合を化学的に還元し、そして当該髪を機械的にまっすぐにした後に当該髪と接触せしめる染色組成物。
【請求項４】  前記髪が、水酸化物基材の化学的還元剤を用いて還元されている請求項１〜３のいずれか１項記載の組成物。
【請求項５】  前記髪が、水酸化ナトリウム、水酸化カルシウム又は水酸化グアニジニウムを用いて化学的に還元されている請求項４記載の組成物。
【請求項６】  前記オキシドレダクターゼが、微生物起源、例えば細菌、糸状菌又は酵母起源のものである請求項１〜５のいずれか１項記載の組成物。
【請求項７】  前記オキシドレダクターゼが、ラッカーゼ、オキシダーゼ又はペルオキシダーゼ、又はそれらの混合物である請求項６記載の組成物。
【請求項８】  前記オキシドレダクターゼが、コプリナスsp. (Coprinus sp.) に由来するペルオキシダーゼである請求項７記載の組成物。
【請求項９】  前記ラッカーゼが、マイセリオプソラsp. (Myceliophthora sp.) に由来する請求項７記載の組成物。
【請求項１０】  前記ラッカーゼが、マイセリオプソラ・サーモフィラ（Myceliophthora thermophila）に由来する請求項９記載の組成物。
【請求項１１】  前記メディエイターが、ジアミン、アミノフェノール、アミノナフトール及びフェノール、又はそれらの組み合わせから成る群から選択される請求項１〜１０のいずれか１項記載の組成物。
【請求項１２】  前記メディエイターが、２，２’−アジノ−ビス（３−エチルベンゾチアゾリン−６−スルホネート（ABTS）、６−ヒドロキシ−２−ナフトエ酸、７−メトキシ−２−ナフトール、７−アミノ−２−ナフタレンスルホン酸、５−アミノ−２−ナフタレンスルホン酸、１，５−ジアミノナフタレン、７−ヒドロキシ−１，２−ナフチミダゾール、10−メチルフェノチアジン、10−フェノチアジン−プロピオン酸（PPT）、N−ヒドロキシスクシンイミド−10−フェノチアジン−プロピオネート、ベンジジン、３，３’−ジメチルベンジジン、３，３’−ジメトキシベンジジン、３，３’，５，５’−テトラメチルベンジジン、４’−ヒドロキシ−４−ビフェニルカルボン酸、４−アミノ−４’−メトキシスチルベン、４，４’−ジアミノスチルベン−２，２’−ジスルホン酸、４，４’−ジアミノジフェニルアミン、２，７−ジアミノフルオレン、４，４’−ジヒドロキシ−ビフェニレン、トリフェニルアミン、10−エチル−４−フェノチアジンカルボン酸、10−エチルフェノチアジン、10−プロピルフェノチアジン、10−イソプロピルフェノチアジン、メチル−10−フェノチアジンプロピオネート、10−フェニルフェノチアジン、10−アリルフェノチアジン、10−フェノキサジンプロピオン酸（POP）、10−（３−（４−メチル−１−ピペラジニル）プロピル）フェニチアジン、10−（２−ピロリジノエチル）フェノチアジン、10−メチルフェノキサジン、イミノスチルベン、２−（p−アミノフェニル）−６−メチルベンゾチアゾール−７−スルホン酸、N−ベンジリデン−４−ビフェニルアミン、５−アミノ−２−ナフタレンスルホン酸、７−メトキシ−２−ナフトール、４，４’−ジヒドロキシベンゾフェノン、N−（４−（ジメチルアミノ）ベンジリデン）−p−アニシジン、３−メチル−２−ベンゾチアゾリノン（４−（ジメチルアミノ）ベンジリデン）ヒドラゾン、２−アセチル−10−メチルフェノチアジン、10−（２−ヒドロキシエチル）フェノチアジン、10−（２−ヒドロキシエチル）フェノキサジン、10−（３−ヒドロキシプロピル）フェノチアジン、４，４’−ジメトキシ−N−メチル−ジフェニルアミン、バニリンアジン、４−ヒドロキシ安息香酸、L−チロシン、シリンゲート酸、フェルラ酸、シナピン酸、クロロゲン酸、コーヒー酸及びそれらのエステル、アセトシリンゴン、シリングアルデヒド、メチルシリンゲート、シリンジン酸、エチルシリンゲート、プロピルシリンゲート、ブチルシリンゲート、ヘキシルシリンゲート、オクチルシリンゲート及びエチル３−（４−ヒドロキシ−３，４−ジメトキシフェニル）アクリレート、又はそれらの組み合わせから成る群から選択される請求項１〜11のいずれか１項記載の組成物。
【請求項１３】  前記化学的酸化剤が、過酸化水素源である請求項１〜12のいずれか１項記載の組成物。
【請求項１４】  前記過酸化水素源が過酸化水素である請求項１３記載の組成物。
【請求項１５】  前記過酸化水素濃度が、染色組成物の重量により計算される場合、0.001〜１％、好ましくは0.01〜0.5％の範囲で存在する請求項１４記載の組成物。
【請求項１６】  前記過酸化水素源が、適切な基質に対して作用するオキシダーゼ、例えばグルコースに対して作用するグルコースオキシダーゼである請求項１３記載の組成物。
【請求項１７】  髪の処理のための組成物であって、少なくとも1つのオキシドレダクターゼ、１又は複数のメディエイター、及びその染色組成物の重量により計算される場合、0.001〜1％の過酸化水素に等しい量での少なくとも１つの化学的酸化剤を含んで成る組成物。
【請求項１８】  前記化学的酸化剤が、過酸化水素又は過硼酸ナトリウムである請求項１７記載の組成物。
【請求項１９】  髪の処理のための組成物であって、
１）化学的還元剤、及び
２）少なくとも1つのオキシドレダクターゼ、１又は複数のメディエイター、及びその染色組成物の重量により計算される場合、0.001〜1％の過酸化水素に等しい量での少なくとも１つの化学的酸化剤を、別々の成分として含んで成る組成物。
【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  トガウイルス感染に罹患した対象または感受性の対象におけるトガウイルス感染の処置もしくは予防またはトガウイルス感染の１もしくは２以上の症状を緩解もしくは減弱する医薬を製造するための化合物の使用であって、当該化合物は、以下の構造
2002531397.tif 000001
［式中、
5-位置の水素は、存在する場合、α-コンフィギュレーションであり、
Q1は-CHR1-または-C(O)-であって、R1は-H, -OHまたはC1-6アルコキシであり、
Q2は-CHR1-, -C(R1)(Y)-または-C(Y)-であって、R1は-H, -OH, ハロゲンまたはC1-6アルコキシであり、
Q3は-Hまたは-CH3であり、
Q4は-C(R1)2-, -C(O)-, ヒドロキシビニリデンまたはメチルメチレンであって、R1はそれぞれ独立に -H, -OH, ハロゲンまたはC1-6アルコキシであり、
Xは-OH, -O-C(O)-R5または =O であり、
Yは-O-C(O)-R5または =O であり、
3-位置および17-位置のR1はそれぞれ独立に -HまたはC1-6アルキルであり、
R2は-OH, C1-6アルコキシ、C2-12エステル、C2-12チオエステル、C2-12チオアセタールまたはC2-12カルバメートであり、
R5は直鎖状または分岐状のC1-14アルキルである］
を有する化合物、ならびにそれらの塩および溶媒和化合物である、上記使用。
【請求項２】  トガウイルス感染は、フラビウイルス感染、ペスチウイルス感染、ルビウイルス感染またはアルファウイルス感染である、請求項１記載の使用。
【請求項３】  当該化合物は、以下の構造
2002531397.tif 000002
を有する化合物である、請求項２記載の使用。
【請求項４】  Q1は-CH2-であって、Xは =Oまたは-OHである、請求項３記載の使用。
【請求項５】  当該化合物は16α-ブロモ-3β-ヒドロキシ-5α-アンドロスタン-17-オンまたは16α-ブロモデヒドロエピアンドロステロンである、請求項４記載の使用。
【請求項６】  対象はヒトまたは霊長類である、請求項５記載の使用。
【請求項７】  当該化合物は16α-ヒドロキシ-3β-ヒドロキシ-5α-アンドロスタン-17-オンまたは16α-ヒドロキシデヒドロエピアンドロステロンである、請求項１記載の使用。
【請求項８】  Q3は-CH3であって、Q2は-C(O)-または-CH(OH)-である、請求項１記載の使用。
【請求項９】  トガウイルス感染に伴う症状は発熱または痛みである、請求項１記載の使用。
【請求項１０】  トガウイルス感染は、C型肝炎ウイルス、G型肝炎ウイルス、カリフォルニア脳炎ウイルス、セントルイス脳炎ウイルス、西部ウマ脳炎ウイルス、東部ウマ脳炎ウイルス、コロラドダニ熱ウイルス、ラクロッセ脳炎ウイルス、日本脳炎ウイルス、黄色熱ウイルス、ベネゼラウマ脳炎ウイルス、マリーバレー熱ウイルス、GBウイルスA、GBウイルスB、GBウイルスC、デングウイルス1、デングウイルス2、デングウイルス3、デングウイルス4、セムリキフォーレストウイルス、ヒト風疹ウイルスまたはウシウイルス性下痢性ウイルスの感染である、請求項３記載の使用。
【請求項１１】  トガウイルス感染はC型肝炎ウイルス感染である、請求項１０記載の使用。
【請求項１２】  当該化合物は16α-ブロモ-3β-ヒドロキシ-5α-アンドロスタン-17-オンまたは16α-ブロモデヒドロエピアンドロステロンである、請求項１１記載の使用。
【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】  （ｉ）水素化単糖であるポリヒドロキシ化合物の水溶液で石灰を処理し、次いで、
（ｉｉ）（ｉ）から得られた溶液から不溶性不純物を分離することを特徴とする石灰からカルシウムイオンの溶液を得る方法。
【請求項２】  該石灰がカーバイド石灰である請求項１記載の方法。
【請求項３】  該石灰が石灰石またはドロマイトのカ焼の生成物である請求項１記載の方法。
【請求項４】  該ポリヒドロキシ化合物がソルビトール、マンニトール、キシリトール、スレイトールまたはエリスリトールである請求項１ないし３いずれか１記載の方法。
【請求項５】  該ポリヒドロキシ化合物がグリセロールである請求項４記載の方法。
【請求項６】  該ポリヒドロキシ化合物が水中の１０重量％ないし８０重量％の溶液として使用される請求項１ないし５いずれか１記載の方法。
【請求項７】  該ポリヒドロキシ化合物が１０重量％ないし６０重量％の溶液として使用される請求項４または５記載の方法。
【請求項８】  石灰の量が、ポリヒドロキシ化合物の水溶液の１００重量部当たり３ないし１２重量部を供するようなものである請求項６記載の方法。
【請求項９】  ５℃ないし６０℃の温度で行われる請求項１ないし８いずれか１記載の方法。
【請求項１０】  （ａ）請求項１ないし９いずれか１の方法に従ってカルシウムイオンの溶液を調製し；次いで
（ｂ）所望のカルシウム含有生成物の沈殿を引き起こす沈殿剤を（ａ）からの溶液に加える；
工程を含むことを特徴とするカルシウム含有生成物の製法。
【請求項１１】  該沈殿剤が二酸化炭素であって、得られる生成物が沈降炭酸カルシウムである請求項１０記載の製法。
【請求項１２】  （ａ）カーバイド石灰をソルビトールの水溶液で処理して該カーバイド石灰からカルシウムを抽出し、
（ｂ）（ａ）から得られた溶液から不溶性不純物を分離し、次いで、
（ｃ）（ｂ）から得られた該溶液を二酸化炭素で処理することを特徴とするカーバイド石灰から沈降炭酸カルシウムを製造する方法。
【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】壁面に適用された初期湿潤状態および研磨された乾燥硬化状態を有する乾式壁目地材であって、該壁目地材が
充填材、
バインダー、および
鉱油、石油から誘導されたオイル、動物油、植物油、ピッチ、天然および合成ワックス、パラフィン、オレオレジン混合物、溶剤、テルペン、グリコール、界面活性剤およびそれらの混合物からなる群から選択された塵減少用添加剤
を含有する乾式壁目地材。
【請求項２】前記植物油が、コーン油、ひまし油またはきり油からなる群から選択される請求項１記載の乾式壁目地材。
【請求項３】油、ピッチ、天然および合成ワックス、パラフィン、オレオレジン混合物、溶剤、テルペン、グリコール、界面活性剤およびそれらの混合物からなる群から選択された添加剤の壁面に適用された初期湿潤状態および研磨された乾燥硬化状態を有する乾式壁目地材の研磨中に塵を減少する使用であって、該乾式壁目地材が充填材およびバインダーを含む、使用。